(57)【要約】【課題】データ放送などで提供される所望の情報を、１つのボタン操作で表示できるようにする。【解決手段】放送データ登録システムは、複数の操作ボタンを備えた遠隔操作装置１０と、放送データを受信可能な表示装置２０とを備える。表示装置２０は、遠隔操作装置１０からの操作に従ってユーザ所望の放送データを表示する表示部２５と、表示した放送データのチャンネル情報と該放送データを表示するまでの一連の操作手順に基づいてスクリプトファイルを生成する制御部２３と、生成したスクリプトファイルを記憶するメモリ２４とを備える。遠隔操作装置１０は、前記スクリプトファイルを実行させるための操作信号を、複数の操作ボタンのいずれかに割り当てて登録し、表示装置２０は、前記操作信号が割り当てられた操作ボタンが操作されたときに、前記操作信号に応じたスクリプトファイルをメモリ２４から読み出して実行する。【選択図】図１
2007158790.tif 000002
【特許請求の範囲】
【請求項１】
複数の操作ボタンを備えた遠隔操作装置と、放送データを受信可能な表示装置とを備え、前記遠隔操作装置により前記表示装置にユーザ所望の放送データを登録する放送データ登録システムにおいて、前記表示装置は、前記遠隔操作装置からの操作に従ってユーザ所望の放送データを表示する手段と、該表示した放送データのチャンネル情報と該放送データを表示するまでの一連の操作手順を登録する操作手順登録手段と、該登録したチャンネル情報と操作手順に基づいてスクリプトファイルを生成するスクリプトファイル生成手段と、該生成したスクリプトファイルを記憶する記憶手段とを備えていることを特徴とする放送データ登録システム。
【請求項２】
請求項１に記載の放送データ登録システムにおいて、前記遠隔操作装置は、前記スクリプトファイルを実行させるための操作信号を、前記複数の操作ボタンのいずれかに割り当てて登録することを特徴とする放送データ登録システム。
【請求項３】
請求項２に記載の放送データ登録システムにおいて、前記表示装置は、前記操作信号が割り当てられた操作ボタンが操作されたときに、前記操作信号に応じたスクリプトファイルを前記記憶手段から読み出して実行する手段を備えていることを特徴とする放送データ登録システム。
【請求項４】
請求項１乃至３のいずれか１に記載の放送データ登録システムにおいて、前記放送データは、データ放送のデータであって、前記操作手順登録手段は、前記操作手順として、前記データ放送で提供される所望のデータを表示するまでの前記遠隔操作装置において操作された少なくとも一部の操作ボタンの処理内容を順番に登録することを特徴とする放送データ登録システム。
【請求項５】
放送データを受信可能な表示装置を遠隔操作する遠隔操作装置において、複数の操作ボタンと、該複数の操作ボタンの少なくとも１つを操作することにより前記表示装置にユーザ所望の放送データを表示させる手段と、前記放送データのチャンネル情報と該放送データを表示させるまでの一連の操作手順を登録する操作手順登録手段と、該登録したチャンネル情報と操作手順に基づいてスクリプトファイルを生成するスクリプトファイル生成手段と、該生成したスクリプトファイルを前記複数の操作ボタンのいずれかに関連付けて記憶する記憶手段とを備えていることを特徴とする遠隔操作装置。
【請求項６】
請求項５に記載の遠隔操作装置において、前記スクリプトファイルが関連付けられた操作ボタンが操作されたときに、該操作ボタンに応じたスクリプトファイルを前記記憶手段から読み出して前記表示装置に送信する手段を備えていることを特徴とする遠隔操作装置。
【請求項７】
請求項５又は６に記載の遠隔操作装置において、前記放送データは、データ放送のデータであって、前記操作手順登録手段は、前記操作手順として、前記データ放送で提供される所望のデータを表示するまでの前記遠隔操作装置において操作された少なくとも一部の操作ボタンの処理内容を順番に登録することを特徴とする遠隔操作装置。
【請求項８】
複数の操作ボタンを備えた遠隔操作装置と、放送データを受信可能な表示装置とを備え、前記遠隔操作装置により前記表示装置にユーザ所望の放送データを登録する放送データ登録方法において、前記遠隔操作装置からの操作に従ってユーザ所望の放送データを表示するステップと、該表示した放送データのチャンネル情報と該放送データを表示するまでの一連の操作手順を登録するステップと、該登録したチャンネル情報と操作手順に基づいてスクリプトファイルを生成するステップと、該生成したスクリプトファイルを記憶するステップとを有することを特徴とする放送データ登録方法。
【請求項９】
請求項８に記載の放送データ登録方法において、前記スクリプトファイルを実行させるための操作信号を、前記複数の操作ボタンのいずれかに割り当てて登録することを特徴とする放送データ登録方法。
【請求項１０】
請求項９に記載の放送データ登録方法において、前記操作信号が割り当てられた操作ボタンが操作されたときに、前記操作信号に応じたスクリプトファイルを読み出して実行するステップを有することを特徴とする放送データ登録方法。
【請求項１１】
請求項８乃至１０のいずれか１に記載の放送データ登録方法において、前記放送データは、データ放送のデータであって、前記操作手順として、前記データ放送で提供される所望のデータを表示するまでの前記遠隔操作装置において操作された少なくとも一部の操作ボタンの処理内容を順番に登録することを特徴とする放送データ登録方法。
【発明の詳細な説明】
【技術分野】
【０００１】
本発明は、放送データ登録システム、遠隔操作装置、及び放送データ登録方法、より詳細には、データ放送などで提供される所望の情報を１つのボタン操作で表示可能とする放送データ登録システム、遠隔操作装置、及び放送データ登録方法に関する。
【背景技術】
【０００２】
従来、ユーザが、データ放送などで提供される特定の情報を見るために、データ放送チャンネルに切り替えてから、各種操作を行い、目的の項目を選択することにより、選択項目に応じた情報を表示していた。例えば、ＢＳ放送の１０３ｃｈの連動データから天気予報を見る場合、ユーザは、リモコンからＢＳ１０３ｃｈを選局した後、しばらくしてから、リモコンの"ｄ"ボタンを押下し、さらに、リモコンの"赤"ボタンを押下する。このように段階的にボタンを押下することで所望の情報を表示することができる。なお、リモコンの"ｄ"ボタンとは、データ放送を受信するためのボタンであり、"赤"ボタンとは、各種機能を割り当て可能なカラーボタンであって、例えばデータ放送で提供される天気予報（番組）を受信するためのボタンである。
【０００３】
このように、従来、データ放送などで提供される目的の情報を表示するために、ユーザはリモコンを用いて複数の操作を行う必要がある上に、再度同じ情報を表示させようとした場合、同じ操作を繰り返し行わなければならなかった。また、目的の情報を表示させるために、ユーザは操作手順を覚えておく必要があり、操作が煩わしいという問題があった。
【０００４】
ここで、例えば、特許文献１には、多機能化するリモコンの操作をカスタマイズする機能を備え、目的の機能のダイレクトアクセスを可能とするリモートコントロール装置が開示されている。これによれば、被制御機器の持つ独立した機能を複数個、順次制御できるように登録可能（例えば、電源ＯＮとＶＴＲ電源ＯＮなど）であり、また、階層化されたメニューの選択を一回の操作で行うことを可能とし、その手法として、目的の機能のポインタを記憶させ、それを実行させるようにしている。
【特許文献１】特開２０００−１９７１６２号公報
【発明の開示】
【発明が解決しようとする課題】
【０００５】
前述したデータ放送などのように、目的の情報にたどりつくまでに階層的な操作を行う必要がある場合、ユーザは、目的の情報を表示するために、リモコンを用いて複数の操作を行い、また、再度同じ情報を表示させようとした場合、同じ操作を繰り返し行わなければならなかった。また、目的の情報を表示させるために、ユーザは操作手順を覚えておく必要があった。このように、ユーザにとってリモコン操作が煩わしいという問題があった。
【０００６】
これに対して、特許文献１には、一覧から所望の機能を選択して登録しておき、対応する操作ボタンを操作することで、所望の機能を順次実行する構成が記載されているが、データ放送のように、送信されてくるデータによって操作手順が変化する場合、一覧から操作内容を選択して登録することはできない。
【０００７】
本発明は、上述のごとき実情に鑑みてなされたものであり、データ放送などで提供される所望の情報を、１つのボタン操作で表示可能とする放送データ登録システム、遠隔操作装置、及び放送データ登録方法を提供すること、を目的とする。
【課題を解決するための手段】
【０００８】
上記課題を解決するために、本発明の第１の技術手段は、複数の操作ボタンを備えた遠隔操作装置と、放送データを受信可能な表示装置とを備え、前記遠隔操作装置により前記表示装置にユーザ所望の放送データを登録する放送データ登録システムにおいて、前記表示装置は、前記遠隔操作装置からの操作に従ってユーザ所望の放送データを表示する手段と、該表示した放送データのチャンネル情報と該放送データを表示するまでの一連の操作手順を登録する操作手順登録手段と、該登録したチャンネル情報と操作手順に基づいてスクリプトファイルを生成するスクリプトファイル生成手段と、該生成したスクリプトファイルを記憶する記憶手段とを備えていることを特徴としたものである。
【０００９】
第２の技術手段は、第１の技術手段において、前記遠隔操作装置は、前記スクリプトファイルを実行させるための操作信号を、前記複数の操作ボタンのいずれかに割り当てて登録することを特徴としたものである。
【００１０】
第３の技術手段は、第２の技術手段において、前記表示装置は、前記操作信号が割り当てられた操作ボタンが操作されたときに、前記操作信号に応じたスクリプトファイルを前記記憶手段から読み出して実行する手段を備えていることを特徴としたものである。
【００１１】
第４の技術手段は、第１乃至第３のいずれか１の技術手段において、前記放送データは、データ放送のデータであって、前記操作手順登録手段は、前記操作手順として、前記データ放送で提供される所望のデータを表示するまでの前記遠隔操作装置において操作された全ての操作ボタンの処理内容を順番に登録することを特徴としたものである。
【００１２】
第５の技術手段は、放送データを受信可能な表示装置を遠隔操作する遠隔操作装置において、複数の操作ボタンと、該複数の操作ボタンの少なくとも１つを操作することにより前記表示装置にユーザ所望の放送データを表示させる手段と、前記放送データのチャンネル情報と該放送データを表示させるまでの一連の操作手順を登録する操作手順登録手段と、該登録したチャンネル情報と操作手順に基づいてスクリプトファイルを生成するスクリプトファイル生成手段と、該生成したスクリプトファイルを前記複数の操作ボタンのいずれかに関連付けて記憶する記憶手段とを備えていることを特徴としたものである。
【００１３】
第６の技術手段は、第５の技術手段において、前記スクリプトファイルが関連付けられた操作ボタンが操作されたときに、該操作ボタンに応じたスクリプトファイルを前記記憶手段から読み出して前記表示装置に送信する手段を備えていることを特徴としたものである。
【００１４】
第７の技術手段は、第５又は第６の技術手段において、前記放送データは、データ放送のデータであって、前記操作手順登録手段は、前記操作手順として、前記データ放送で提供される所望のデータを表示するまでの前記遠隔操作装置において操作された全ての操作ボタンの処理内容を順番に登録することを特徴としたものである。
【００１５】
第８の技術手段は、複数の操作ボタンを備えた遠隔操作装置と、放送データを受信可能な表示装置とを備え、前記遠隔操作装置により前記表示装置にユーザ所望の放送データを登録する放送データ登録方法において、前記遠隔操作装置からの操作に従ってユーザ所望の放送データを表示するステップと、該表示した放送データのチャンネル情報と該放送データを表示するまでの一連の操作手順を登録するステップと、該登録したチャンネル情報と操作手順に基づいてスクリプトファイルを生成するステップと、該生成したスクリプトファイルを記憶するステップとを有することを特徴としたものである。
【００１６】
第９の技術手段は、第８の技術手段において、前記スクリプトファイルを実行させるための操作信号を、前記複数の操作ボタンのいずれかに割り当てて登録することを特徴としたものである。
【００１７】
第１０の技術手段は、第９の技術手段において、前記操作信号が割り当てられた操作ボタンが操作されたときに、前記操作信号に応じたスクリプトファイルを読み出して実行するステップを有することを特徴としたものである。
【００１８】
第１１の技術手段は、第８乃至第１０のいずれか１の技術手段において、前記放送データは、データ放送のデータであって、前記操作手順として、前記データ放送で提供される所望のデータを表示するまでの前記遠隔操作装置において操作された全ての操作ボタンの処理内容を順番に登録することを特徴としたものである。
【発明の効果】
【００１９】
本発明によれば、データ放送などで提供される所望の情報を、１つの操作ボタンを操作するだけで表示することができるため、ユーザはリモコンを用いて複数の操作を行わなくてもよく、また、再度同じ情報を表示させようとした場合、同じ操作を繰り返し行わなくてもよくなる。また、目的の情報を表示させるために、ユーザは操作手順を覚えておく必要がなくなる。このように、リモコン操作の煩わしさを軽減することができる。
【発明を実施するための最良の形態】
【００２０】
（第１の実施形態）
図１は、本発明の一実施形態に係る放送データ登録システムの構成例を示すブロック図で、放送データ登録システムは、複数の操作ボタンを備えた遠隔操作装置１０、放送データを受信可能な表示装置２０を備えて構成される。表示装置２０は、遠隔操作装置１０により遠隔操作され、遠隔操作装置１０から赤外線あるいは電波等により送信されてくる操作信号を受信するための受信部（図示せず）を備えている。
【００２１】
図２は、図１に示した遠隔操作装置１０の外観構成例を示す図である。遠隔操作装置１０（以下、リモコン１０）は、複数の操作ボタンとして、例えば、チャンネルを選局するためのチャンネル選局ボタン１１と、地上波デジタル放送（地上Ｄ）／衛星放送（ＢＳ）／衛星放送（ＣＳ１／２）を切り換える放送切換ボタン１２と、データ放送を受信するためのデータ連動ボタン１３（以下、ｄボタン１３という）と、各種機能が割り当てられる青／赤／緑／黄からなるカラーボタン１４（以下、赤ボタン１４で代表する）と、上下左右にカーソルを移動させるための方向ボタン１５と、選択確定するための決定ボタン１６と、を含んで構成されている。
【００２２】
図１において、表示装置２０は、アナログあるいはデジタルの放送データを受信するためのチューナ２１と、受信した放送データを復号するデコーダ２２と、各部を制御するＣＰＵなどの制御部２３と、制御プログラムやデータ等が記憶されたメモリ２４と、液晶ディスプレイ（ＬＣＤ：Ｌｉｑｕｉｄ  Ｃｒｙｓｔａｌ  Ｄｉｓｐｌａｙ）などの表示部２５と、を備えて構成される。なお、本発明の表示装置２０は、例えば、テレビジョン装置や、パーソナルコンピュータなどのテレビチューナ機能を備えた表示装置全般に適用することができる。
【００２３】
ユーザは、リモコン１０から一連の操作を行い、表示装置２０に所望の放送データを表示させる。そして、所望の放送データを表示するまでの一連の操作手順（例えば、チャンネル選局ボタン１１を押下してＢＳ放送を選局し、ｄボタン１３を押下してデータ放送を受信し、赤ボタン１４を押下して天気情報を受信する、などの処理内容）をスクリプトファイル化し、このスクリプトファイルを実行するための操作信号を、リモコン１０が備える１つの操作ボタンに割り当てて登録する。この際、１ステップ毎に手動で編集するようにしてもよい。以後、ユーザにより当該操作ボタンが押下されると、表示装置２０においてスクリプトファイルが実行され、スクリプトファイルに対応するユーザ所望の放送データが表示される。
【００２４】
図３は、図１に示した表示装置２０の要部構成例を示す機能ブロック図で、制御部２３は、操作手順登録手段２３ａ、スクリプトファイル生成手段２３ｂ、及びスクリプトファイル読出／実行手段２３ｃを備え、メモリ２４は、操作手順データ２４ａ、スクリプトファイル２４ｂを蓄積する。これらの操作手順登録手段２３ａ、スクリプトファイル生成手段２３ｂ、及びスクリプトファイル読出／実行手段２３ｃは、本発明の放送データ登録システムとしての機能を実行するためのプログラムであって、メモリ２４に格納され、実行時に制御部２３によって読み出されて実行される。
【００２５】
まず、ユーザは、所望の放送データを登録する際に、リモコン１０が備える操作ボタンのうち、スクリプトファイルを実行させるための操作信号を割り当てる操作ボタンを所定時間以上（例えば、３秒以上）押下する。以下、この操作ボタンを割当操作ボタンという。その後、リモコン１０を用いて、ユーザ所望の放送データを表示装置２０に表示させるための操作を行う。
【００２６】
表示装置２０は、リモコン１０からの操作に従って、ユーザ所望の放送データを表示する。操作手順登録手段２３ａは、表示した放送データのチャンネル情報とその放送データを表示するまでの一連の操作手順を操作手順データ２４ａとして登録する。放送データがデータ放送のデータである場合、操作手順登録手段２３ａは、操作手順として、データ放送で提供される所望のデータを表示するまでのリモコン１０において操作された少なくとも一部の操作ボタンの処理内容を順番に登録する。
【００２７】
これは、例えば、チャンネル選局ボタン１１を押下して所望のＢＳ放送を選局し、ｄボタン１３を押下してデータ放送を受信し、赤ボタン１４を押下して天気情報を受信する、などの一連の処理内容を順番に登録する。この際、一連の処理の途中の情報を登録しておきたい場合には、登録したい情報が表示された状態で決定ボタン１６を押下することにより、それまでの処理内容が順番に登録されるようにしてもよい。
【００２８】
スクリプトファイル生成手段２３ｂは、メモリ２４に登録した操作手順データ２４ａ（すなわち、チャンネル情報と操作手順）に基づいてスクリプトファイルを生成する。このスクリプトファイルとは、一般に、各種のプロセスを自動化して実行するための一連の命令などを記述した簡易プログラムであり、本発明においては放送データを表示するまでの一連の操作手順を自動化するための簡易プログラムである。
【００２９】
メモリ２４は、スクリプトファイル生成手段２３ｂで生成したスクリプトファイル２４ｂを記憶する。リモコン１０は、割当操作ボタンがユーザにより再度押下されると、スクリプトファイル２４ｂを実行させるための操作信号を、割当操作ボタンに割り当てて登録する。なお、スクリプトファイル２４ｂは、上記操作信号に関連付けされて記憶される。
【００３０】
スクリプトファイル読出／実行手段２３ｃは、上記操作信号が割り当てられた割当操作ボタンが押下されたときに、上記操作信号に応じたスクリプトファイルをメモリ２４から読み出して実行する。スクリプトファイルが実行されると、例えば、ＢＳ放送を選局し、データ放送を受信し、天気情報を受信するまでの一連の操作が順番に実行され、ユーザ所望の放送データである天気情報が表示される。
【００３１】
なお、上記実施形態では、リモコン１０において割当操作ボタンを２回操作することで、ユーザ所望の放送データを登録するようにしているが、この例に限定されない。例えば、リモコン１０に、放送データ登録モードに切り替えるモード切替ボタンを設けておき、このモード切替ボタンが押下されると、放送データ登録モードに移行し、放送データの登録処理の最後に、任意の操作ボタンを押下等により選択し、スクリプトファイルを実行するための操作信号を割り当てるようにしてもよい。
【００３２】
（第２の実施形態）
本実施形態では、図３における操作手順登録手段、スクリプトファイル生成手段、及びスクリプトファイル読出手段をリモコン１０側に備えて構成される。リモコン１０から表示装置２０にスクリプトファイルを送信することにより、表示装置２０がユーザ所望の放送データを表示する。
【００３３】
図４は、本発明の他の実施形態に係るリモコン１０の要部構成例を示す機能ブロック図で、リモコン１０は、操作信号が割り当てられた操作ボタン１０ａと、各部を制御するＣＰＵなどからなる制御部１０ｂと、制御プログラムやデータなどを蓄積するメモリ１０ｃと、遠隔操作する表示装置２０に操作信号等を送信する送信部１０ｄと、を備えて構成される。
【００３４】
制御部１０ｂは、操作手順登録手段１０ｂ１、スクリプトファイル生成手段１０ｂ２、及びスクリプトファイル読出手段１０ｂ３を備え、メモリ１０ｃは、操作手順データ１０ｃ１、スクリプトファイル１０ｃ２を蓄積する。これらの操作手順登録手段１０ｂ１、スクリプトファイル生成手段１０ｂ２、及びスクリプトファイル読出手段１０ｂ３は、本発明の放送データ登録システムとしての機能を実行するためのプログラムであって、メモリ１０ｃに格納され、実行時に制御部１０ｂによって読み出されて実行される。
【００３５】
まず、ユーザは、所望の放送データを登録する際に、リモコン１０が備える操作ボタンのうち、スクリプトファイルを割り当てる操作ボタンを所定時間以上（例えば、３秒以上）押下する。その後、リモコン１０を用いて、ユーザ所望の放送データを表示装置２０に表示させるための操作を行う。
【００３６】
表示装置２０は、リモコン１０からの操作に従って、ユーザ所望の放送データを表示する。リモコン１０が備える操作手順登録手段１０ｂ１は、表示装置２０に表示された放送データのチャンネル情報とその放送データを表示するまでの一連の操作手順を操作手順データ１０ｃ１として登録する。放送データがデータ放送のデータである場合、操作手順登録手段１０ｂ１は、操作手順として、データ放送で提供される所望のデータを表示するまでのリモコン１０において操作された少なくとも一部の操作ボタンの処理内容を順番に登録する。
【００３７】
これは、例えば、図２に示したように、所望のＢＳ放送を選局するためにチャンネル選局ボタン１１を押下し、データ放送を受信するためにｄボタン１３を押下し、天気情報を受信するために赤ボタン１４を押下する、などの一連の処理内容を順番に登録する。この際、一連の処理の途中の情報を登録しておきたい場合には、登録したい情報が表示された状態で決定ボタン１６を押下することにより、それまでの処理内容が順番に登録されるようにしてもよい。
【００３８】
スクリプトファイル生成手段１０ｂ２は、メモリ１０ｃに登録した操作手順データ１０ｃ１（すなわち、チャンネル情報と操作手順）に基づいてスクリプトファイルを生成する。このスクリプトファイルとは、一般に、各種のプロセスを自動化して実行するための一連の命令などを記述した簡易プログラムであり、本発明においては放送データを表示するまでの一連の操作手順を自動化するための簡易プログラムである。
【００３９】
メモリ１０ｃは、スクリプトファイル生成手段１０ｂ２で生成したスクリプトファイル１０ｃ２を記憶する。リモコン１０は、割当操作ボタンがユーザにより再度押下されると、スクリプトファイル１０ｃ２を、割当操作ボタンに割り当てて登録する。なお、スクリプトファイル１０ｃ２は、上記操作ボタンに関連付けされて記憶される。
【００４０】
スクリプトファイル読出手段１０ｂ３は、スクリプトファイル１０ｃ２が関連付けられた割当操作ボタンが押下されたときに、この割当操作ボタンに応じたスクリプトファイル１０ｃ２をメモリ１０ｃから読み出す。送信部１０ｄは、読み出したスクリプトファイル１０ｃ２を表示装置２０に送信する。表示装置２０は、リモコン１０から送信されたスクリプトファイル１０ｃ２を実行し、例えば、ＢＳ放送を選局し、データ放送を受信し、天気情報を受信するまでの一連の操作を順番に実行し、ユーザ所望の放送データである天気情報を表示する。
【００４１】
なお、上記実施形態では、リモコン１０において割当操作ボタンを２回操作することで、ユーザ所望の放送データを登録するようにしているが、この例に限定されない。例えば、リモコン１０に、放送データ登録モードに切り替えるモード切替ボタンを設けておき、このモード切替ボタンが押下されると、放送データ登録モードに移行し、登録処理の最後に、任意の操作ボタンを押下して選択し、スクリプトファイルを実行するための操作信号を割り当てるようにしてもよい。
【００４２】
図５は、本発明が適用される放送データ登録方法の一例を説明するためのフロー図である。なお、本例は、放送データを登録するためのスクリプトファイルを表示装置２０側で生成する例について説明するものとし、登録する放送データをデータ放送のデータとする。まず、ユーザは、リモコン１０において登録させる操作ボタンを所定時間（約３秒程度）以上押下し（ステップＳ１）、リモコン１０は、その操作ボタンが既に登録されているかどうかを判断する（ステップＳ２）。操作ボタンにまだ登録されていない場合（ＮＯの場合）、表示装置２０は、リモコン１０から選択されたデータ放送チャンネルを記憶する（ステップＳ３）。なお、上記ステップＳ２における判断結果を表示装置２０に表示するようにしてもよい。
【００４３】
次に、表示装置２０は、所望のデータを表示するまでの各種操作とその順序を記憶し（ステップＳ４）、ユーザは、リモコン１０を操作して、再度登録させる操作ボタンを押下する（ステップＳ５）。表示装置２０は、記憶されているチャンネルと各種操作の順序からスクリプトファイルを作成し（ステップＳ６）、作成したスクリプトファイルをメモリに記憶する（ステップＳ７）。
【００４４】
また、表示装置２０は、ステップＳ２において、操作ボタンが既に登録されている場合（ＹＥＳの場合）、登録変更を行うかどうかを判断し（ステップＳ８）、登録変更を行う場合（ＹＥＳの場合）、ステップＳ３に移行して登録処理を実行する。また、ステップＳ８において、登録変更を行わない場合（ＮＯの場合）、そのまま終了する。
【００４５】
図６は、本発明が適用される放送データ登録方法の他の例を説明するためのフロー図である。本例は、図５に示したステップＳ３、ステップＳ４における処理を詳細に説明したものである。まず、ユーザは、図２に示したリモコン１０を操作して、登録させる操作ボタンを所定時間（約３秒）以上押下し（ステップＳ１１）、その後、ＢＳボタン（放送切換ボタン１２）を押下し（ステップＳ１２）、チャンネル選局ボタン１１により所望のチャンネルを選択する（ステップＳ１３）。次に、ユーザは、リモコン１０を操作して、ｄボタン１３を押下し、データ放送を受信し（ステップＳ１４）、赤ボタン１４を押下し、天気情報を選択する（ステップＳ１５）。
【００４６】
次に、ユーザは、リモコン１０の方向ボタン１５を操作して、下ボタンを押下し、各地の天気を選択し（ステップＳ１６）、さらに、下ボタンを押下し、例えば関東を選択し（ステップＳ１７）、さらに、下ボタンを押下し、例えば栃木県を選択し（ステップＳ１８）、ユーザ所望の放送データを確定するための決定ボタン１６を押下する（ステップＳ１９）。
【００４７】
ここで、一連の処理の途中の情報を登録しておきたい場合には、登録したい情報が表示された状態で決定ボタン１６を押下することにより、それまでの処理内容が順番に登録されるようにしてもよい。例えば、ステップＳ１７において関東地方の天気情報を登録しておきたい場合、当該天気情報が表示された状態で決定ボタン１６を押下することで、それまでの処理内容が登録される。
【００４８】
次に、ユーザは、リモコン１０を操作して、ステップＳ１１と同じ操作ボタンを押下して当該操作ボタンに登録する（ステップＳ２０）。このようにして、図１６に示すステップＳ１２からステップＳ１８までの一連の処理をスクリプトファイル化して、このスクリプトファイルを実行するための操作信号を、リモコン１０の任意の操作ボタンに割り当てる。ユーザが、この操作ボタンを押下することにより、表示装置２０においてスクリプトファイルが実行され、ここでは、ユーザ所望のデータである栃木県の天気情報が表示される。なお、放送データの登録処理は、これまで説明した自動登録のほかに、１ステップ毎に手動で登録するようにしてもよい。
【００４９】
図７は、図５及び図６に示した放送データ登録方法により登録された放送データの表示方法の他の例を説明するためのフロー図である。まず、ユーザは、リモコン１０を操作して、登録された操作ボタンが押下されたかどうかを判断し（ステップＳ２１）、登録された操作ボタンが押下された場合（ＹＥＳの場合）、表示装置２０は、記憶したスクリプトファイルを実行し（ステップＳ２２）、所望のデータを表示する（ステップＳ２３）。また、ステップＳ２１において、登録された操作ボタンが押下されない場合（ＮＯの場合）、ステップＳ２１で待機状態に移行する。
【００５０】
本発明によれば、データ放送などで提供される所望の情報を、１つの操作ボタンを操作するだけで表示することができるため、ユーザはリモコンを用いて複数の操作を行わなくてもよく、また、再度同じ情報を表示させようとした場合、同じ操作を繰り返し行わなくてもよくなる。また、目的の情報を表示させるために、ユーザは操作手順を覚えておく必要がなくなる。このように、リモコン操作の煩わしさを軽減することができる。
【図面の簡単な説明】
【００５１】
【図１】本発明の一実施形態に係る放送データ登録システムの構成例を示すブロック図である。
【図２】図１に示した遠隔操作装置の外観構成例を示す図である。
【図３】図１に示した表示装置の要部構成例を示す機能ブロック図である。
【図４】本発明の他の実施形態に係るリモコンの要部構成例を示す機能ブロック図である。
【図５】本発明が適用される放送データ登録方法の一例を説明するためのフロー図である。
【図６】本発明が適用される放送データ登録方法の他の例を説明するためのフロー図である。
【図７】図５及び図６に示した放送データ登録方法により登録された放送データの表示方法の他の例を説明するためのフロー図である。
【符号の説明】
【００５２】
１０…遠隔操作装置（リモコン）、１０ａ…操作ボタン、１０ｂ，２３…制御部、１０ｂ１，２３ａ…操作手順登録手段、１０ｂ２，２３ｂ…スクリプトファイル生成手段、１０ｂ３…スクリプトファイル読出手段、１０ｃ，２４…メモリ、１０ｃ１，２４ａ…操作手順データ、１０ｃ２，２４ｂ…スクリプトファイル、１０ｄ…送信部、１１…チャンネル選局ボタン、１２…放送切換ボタン、１３…データ連動ボタン（ｄボタン）、１４…カラーボタン（赤ボタン）、１５…方向ボタン、１６…決定ボタン、２０…表示装置、２１…チューナ、２２…デコーダ、２３ｃ…スクリプトファイル読出／実行手段、２５…表示部。
【図１】
2007158790.tif 000003
【図２】
2007158790.tif 000004
【図３】
2007158790.tif 000005
【図４】
2007158790.tif 000006
【図５】
2007158790.tif 000007
【図６】
2007158790.tif 000008
【図７】
2007158790.tif 000009